(57)【要約】【目的】簡単な構造でありながら前後の移動だけでなく左右に自由に角度が変えられ、しかも０度から１８０度に自由に仰ぎ角度を変えられるだけではなく高さも変更でき、ベッドや応接テーブルにも簡単に取り付けることが出来る、三次元移動可能なノート型パソコン専用台を提供することを目的とする。【構成】本体部は二枚の平板からなりその中央部は蝶番で連結され、それぞれの平板の左右には角度調整用のフランジと固定ノブが設置されている。かつ本体裏面に設置されたパイプ差し込み用アジャスターに三本のパイプと二個の角度調整ジョイントおよび締め付けクランプよりなるスタンド部によって形成されている。【選択図】なし【実用新案登録請求の範囲】
【請求項１】
２枚の平板を蝶番で連結しその前後に開き角度を０度から１８０度に変えられる角度調整節用フランジが設けてあり、希望の仰ぎ角度決定後ノート型パソコンを１８０度に開いたまま上に置く事により、使用することが出来、ノート型パソコンの設置角度を自由に決める事が出来るノート型パソコン台。
【請求項２】
請求項１に基づき設置したノート型パソコンの左右の首振り角度を自由に設定するため、平板部裏面に回転部を取り付け左右の角度決定後締め付けることにより固定できるノート型パソコン台。
【請求項３】
本考案のノート型パソコン台の平板本体部の裏面に設置されたパイプ差し込み用アジャスターに、３本のパイプと２個の角度調整用ジョイント及び締め付け用クランプ部から成るスタンド部を差し込み固定する事により、高さと前後位置を自由に決める事が出来るノート型パソコン台。
【考案の詳細な説明】
【技術分野】
【０００１】  本考案は主としてノート型パソコンをベッドや机やテーブル等に設置できしかも３次元に動かす事が可能なノート型パソコン台に関する。【０００２】  例えば従来ノート型パソコンを作動するとき、机の上や膝の上やその他一般テーブルの上に広げて作業をしているため、眼線に対してキーボードやディスプレーが適正な位置に成らず、眼精疲労や肩凝り等の原因を作りやすい。
【考案の開示】
【考案が解決しようとする課題】
【０００３】  本考案は簡単な構成でありながら軽量で耐久性があり、余地の狭小な机やテーブル等の上に平置きするのみならず、ベッドの横棚や応接テーブル等に簡単に取り付けられる。この台は前後の移動だけでなく左右に角度を変えられ、しかも０度から１８０度に自由に仰ぎ角を変える事が出来、高さも自由に変えられる三次元に動かす事が可能なノート型パソコン台を作成することにある。
【課題を解決するための手段】
【０００４】  上記目的を達成するために、本考案のノート型パソコン台は中央部分にある蝶番で二枚の本体板を連結し、その両端に角度調整ステーと角度固定用のノブを取り付けてあり、この機構で仰ぎ角を０度から１８０度に自由に変えられるように出来ることを特徴とする。【０００５】  また本考案のノート型パソコン台は角度を自由に変える事が出来る様にするため、二枚の本体板のうちの一枚の裏面に回転軸を取り付けると同時に、所定の位置に自在に固定できる回転停止ストッパーを取り付けてある事を特徴とする。【０００６】  さらに回転軸の中央部分にスタンド取り付け用のホルダーが取り付けてあり、ホルダーに設けられてある穴部にスタンド上部を差し込み締め付けビスにて固定する。またこのスタンドは三本のパイプが連結されている。そのパイプの接続部二カ所には角度を自在に決められる機構が設けてあり、角度決定後締め付け部にて固定できる。これにより上下の位置のみならず左右の任意の位置にノート型パソコン台設置することが出来ることを特徴とする。【０００７】  又上記のパイプの最下部にはノート型パソコン本体の重量のほか、作業時に加わる負荷に耐えられるようにクランプが取り付けられている。このクランプの上部にパイプ差し込みのための部分が設けられている。ここに差し込まれたパイプは固定用ツマミで締め付け固定される。
【考案の効果】
【０００８】  本考案のノート型パソコン台は簡単な構成でコンパクトであるにもかかわらず、三次元で移動調整可能なだけでなく軽量で机やテーブル等の隅やベッドの横柵部分等に簡単に取り付けることが可能となった。【０００９】  また構造が簡単なためコスト面だけでなく保守管理がたやすく故障が少ない。【００１０】  又本体部やスタンド部全て折りたたみ構造であるため、移動や移設が容易であるだけでなく、収納も場所を取らない。
【考案を実施するための最良の形態】
【００１１】  以下、本考案の実施の形態を図面に基づき説明する。図１は本考案の本体部の傾視図であり、図２は本体部裏面図である。図３は図１の本体部とスタンド部の組立断面図である。図４はスタンド部の組立完成図である。【００１２】  本体前面板１はアクリル板５ｍｍを使用して両サイドは直角に曲げて角度調整用ステー３を取り付けるスペースを設けると同時に補強の効果を得ている。【００１３】  本体後面板２も前面板１と同じアクリル板５ｍｍを使用し同じ形状にしてあるが奥行きは前面板１より短くしてあり開いて使用したときに重心が後の方向へ行くのを防いでいる。【００１４】  本体前面板１と後面板２の左右にそれぞれ本体板角度調整用ステー３が取り付けられ、その中心部に角度調整用ニギリ４が連結され、任意の角度で両板の開く角度が固定できる。【００１５】  本体前面板１の前方２カ所に設置したノート型パソコンの落下防止用ストッパー５が設置されている。このストッパー５は下方にスプリング６が設置されており、本体用１，２を閉じたとき前面板１の中に埋まり込み折り畳み時に邪魔にならない。【００１６】  本体前面板１の裏面４隅４カ所にゴム脚７が設置してあり、スタンドを使用しないでノート型パソコンを机やテーブル等平板の上で使用するときに安定感を持たせることができる。【００１７】  本体前面板１の裏面中心部にスタンド取り付け補助板８が接着されている。【００１８】  机やテーブル等に直に置かずにベッド横柵や応接テーブルに固定して使用するとき、金属で作成されているアジャスター９をスタンド取り付け補助板８に接合する。【００１９】  アジャスター９にスタンドパイプＡ１１を差し込みパイプ固定用蝶ビス１０でしっかり固定する。スタンドパイプＡ１１とスタンドパイプＢ１３スタンドパイプＡ１５の都合３本のパイプは角度調節用ジョイントＡ１２角度調整ジョイントＢ１４に差し込まれ固定されスタンドパイプＣ１５の先端はクランプ部１６の上部に設置されたパイプホルダー１７に嵌め込まれる。このパイプホルダーに設置されているパイプ締め付け用蝶ビス２０にてスタンドパイプＣ１５を固定する。【００２０】  ベッドの横桟や応接テーブルのコーナー等にクランプ１６を嵌め込みクランプ締め付けハンドル１８を回して加圧板１９を押し上げ固定する。このとき加圧板の上部には家具等を傷つけるのを防ぐためキズ防止ゴム板２１が取り付けられている。【００２１】  スタンドパイプＢ１３と角度調整用ジョイントＡ１２角度調整ジョイントＢ１４の設定により上下の高さおよび前後の移動が自由に決められる。【００２２】  角度調整用ジョイントはスタンドパイプＡ１１を通し本体前面板１と常に直角を保つことが出来る作用があり、本体前面板１と本体後面板２の角度のみならず本体全体の角度を調節できる。【００２３】  実施例では本体平面板部はアクリル板を使用しているが、アルミ板、木板、スチール板等材質の選択は幅広くあるので価格や重量を加味して使用することが出来る。
【図面の簡単な説明】
【００２４】
【図１】本考案本体部斜視図である。
【図２】本体部裏面図である。
【図３】本体部分とスタンド部の組立断面図である。
【図４】スタンド部の組立である。
【符号の説明】
【００２５】  １  本体前面板        ２  本体後面板        ３  本体板角度調節用ステー
４  蝶番              ５  角度固定用ツマミ  ６  ストッパー
７  ストッパースプリング                    ８  ゴム脚
９  スタンド取り付け用補助板              １０  アジャスター
１１  パイプ固定用蝶ネジ                    １２  パイプＡ
１３  角度調節ジョイント                    １４  パイプＢ
１５  角度調節ジョイントＢ                  １６  パイプＣ
１７  クランプ                              １８  パイプホルダー
１９  クランプ取り付けハンドル              ２０  加圧板
２１  パイプ締め付けビス                    ２２  ゴム板
【図１】
0003125396.tif 000002
【図２】
0003125396.tif 000003
【図３】
0003125396.tif 000004
【図４】
0003125396.tif 000005
【手続補正書】
【提出日】平成18年6月12日(2006.6.12)
【手続補正１】
【補正対象書類名】実用新案登録請求の範囲
【補正対象項目名】請求項３
【補正方法】変更
【補正の内容】
【請求項３】
請求項１に基づき設置したノート型パソコン台の平板本体部の裏面に設置されたパイプ差し込み用アジャスターに、３本のパイプと２個の角度調整用ジョイント及び締め付け用クランプ部からなるスタンド部を差し込み固定することにより、高さと前後位置を自由に決めることが出来ることを特徴とするノート型パソコン台